(57)【要約】【課題】  バグフィルター更新時の交換作業の手間を省き、省力化、合理化を実現できる集塵装置用バグフィルターの提供。【解決手段】  集塵装置の塵埃濾過機能を有する着脱容易且つ筒形状を保持するための形状保持具２を有する筒状濾布体から構成される集塵装置用バグフィルターであって、変形可能な芯材５を環状帯体３の両縁部３ｃ、３ｃを内側に折り曲げてできる溝部４に内側から見えるように嵌着して形状保持具２を形成し、筒状濾布体１の胴部内面１ｂの所定部位に芯材５が変形して離脱容易な前記形状保持具２を少なくとも１つ前記筒状濾布体１の胴部軸方向Ｚに直交して縫合する構成としたことを特徴とする。【選択図】        図１
2007054752.tif 000002
【特許請求の範囲】
【請求項１】
集塵装置の塵埃濾過機能を有する着脱容易且つ筒形状を保持するための形状保持具を有する筒状濾布体から構成される集塵装置用バグフィルターであって、変形可能な芯材を環状帯体の両縁部を内側に折り曲げてできる溝部に内側から見えるように嵌着して形状保持具を形成し、前記筒状濾布体の胴部内面の所定部位に芯材が変形して離脱容易な前記形状保持具を少なくとも１つ前記筒状濾布体の胴部軸方向に直交して縫合する構成としたことを特徴とする集塵装置用バグフィルター。
【請求項２】
前記形状保持具は、柔軟材による環状帯体の円周方向の上下両縁部を内側に折り曲げて形成された環状の溝部に環状の変形可能な金属製の芯材を内側から見えるように嵌着して一体的に成形され、前記溝部は前記芯材自体が擦り抜けられる程度の溝幅を有して成ることを特徴とする請求項１記載の集塵装置用バグフィルター。
【発明の詳細な説明】
【技術分野】
【０００１】
本発明は、集塵装置用バグフィルターに関する。
【背景技術】
【０００２】
従来技術としては、濾過操作中に筒状濾布体が変形して機能的に不都合となるのを防ぐ為に、別体の篭型リテーナ（形状保持器）を用いた例が知られている（例えば、特許文献１参照。）。
【特許文献１】特願２００５−１２２２８５号公報
【発明の開示】
【発明が解決しようとする課題】
【０００３】
しかしながら、上述の従来例では、バグフィルターと別体となる篭型リテーナを設ける場合と設けない場合とがあり、また、図４の例では、被覆布２０と一緒に金属製リング５０を外側から縫合した場合であり、バグフィルター１０更新時の交換作業の際に発生する可燃物と不燃物との分別作業において、被覆布２０や濾布などを切断する等の手間が掛かり、作業性、省力化を阻害するという問題がある。
【０００４】
本発明は、上述の点に着目して成されたもので、本出願人が先に出願した特許出願（特許文献１）の技術内容を種々研鑚の結果発展して発明に到ったものであり、バグフィルター更新時の交換作業の手間を省き、省力化、合理化を実現できる集塵装置用バグフィルターを提供することを目的とする。
【課題を解決するための手段】
【０００５】
本発明は、下記構成を備えることにより上記課題を解決できるものである。
【０００６】
（１）集塵装置の塵埃濾過機能を有する着脱容易且つ筒形状を保持するための形状保持具を有する筒状濾布体から構成される集塵装置用バグフィルターであって、変形可能な芯材を環状帯体の両縁部を内側に折り曲げてできる溝部に内側から見えるように嵌着して形状保持具を形成し、前記筒状濾布体の胴部内面の所定部位に芯材が変形して離脱容易な前記形状保持具を少なくとも１つ前記筒状濾布体の胴部軸方向に直交して縫合する構成とした集塵装置用バグフィルター。
【０００７】
（２）前記形状保持具は、柔軟材による環状帯体の円周方向の上下両縁部を内側に折り曲げて形成された環状の溝部に環状の変形可能な金属製の芯材を内側から見えるように嵌着して一体的に成形され、前記溝部は前記芯材自体が擦り抜けられる程度の溝幅を有して成る前項（１）記載の集塵装置用バグフィルター。
【発明の効果】
【０００８】
本発明によれば、取外し容易な芯材を有する形状保持具（環形状保持具）を芯材と共に一体的に成形した筒状濾布体から構成するようにしたことで、バグフィルター更新時の交換作業において、芯材などの不燃物を取り出す為の切断作業を無くして、作業を簡略化し、省力化、合理化を実現できる集塵装置用バグフィルターを提供することが出来る。
【発明を実施するための最良の形態】
【０００９】
以下に本発明に係る集塵装置用バグフィルターの実施の形態について説明する。
【００１０】
図１（ａ）は、本実施例における形状保持具を装備したバグフィルターの要部構成を示す外観斜視図、（ｂ）は、形状保持具（輪形状保持具）の一部破断斜視図、（ｃ）は、環状の芯材の斜視図、（ｄ）はＡ−Ａ断面図、図２は、形状保持具を筒状濾布体に縫合した状態を示す断面図、図３は、芯材を取外す際の変形状況を示す説明図、図４は、比較対象例を示す外観斜視図、（ｂ）は、Ｂ−Ｂ断面図である。
【実施例】
【００１１】
本発明に係る集塵装置用バグフィルターの実施例を図面に基いて以下に説明する。
【００１２】
集塵装置の塵埃濾過機能を有する着脱容易且つ筒形状を保持するための形状保持具２を有する筒状濾布体１から構成される集塵装置用バグフィルターであって、変形可能な芯材５を環状帯体３の両縁部３ｃ、３ｃを内側に折り曲げてできる溝部４に内側から見えるように嵌着して形状保持具２を形成し、前記筒状濾布体１の胴部内面１ｂの所定部位に芯材５が変形して離脱容易な前記形状保持具２を少なくとも１つ、また条件に応じて複数、前記筒状濾布体１の胴部１ａに所定間隔Ｌで前記筒状濾布体１の胴部軸方向Ｚに直交して縫合する構成としたことを特徴とする。
【００１３】
形状保持具２は、柔軟材による環状帯体３の円周方向の上下両縁部３ｃ、３ｃを内側に折り曲げて形成された環状の溝部４に環状の変形可能な金属製の芯材５を内側から見えるように嵌着して一体的に成形され、前記溝部４は前記芯材５自体が擦り抜けられる程度の溝幅４ａを有して成る。
【００１４】
図３に示すように、前述のように構成することで、芯材５を内側に押圧して変形し、容易に離脱除去することが出来る。
【００１５】
溝部４は、内側環状中心線３ａに沿って形成された例を図示したが、溝部４は必ずしも内側環状中心線３ａ上に設ける必要はなく、芯材５を嵌着保持出来れば良い。
【００１６】
図１（ａ）は、本実施例における形状保持具を装備したバグフィルターの要部構成を示す斜視図であり、形状保持具２を所定間隔Ｌ（例えば、１ｍ間隔）で縫合してある。集塵装置の規模によって筒状濾布体１の大きさ（太さ、長さ）及び本数は千差万別であり、従って形状保持具２の本数も間隔Ｌも種々条件に応じて決めることになる。環状の芯材５の大きさ（輪型外径、太さ）も条件に応じて異なるが、芯材５の場合は、変形させて除去することから太さ（径）Ｄには、自ずと限界があり、ほぼＤ＝３〜４．５ｍｍφ程度とするのが望ましい（図１（ｃ）参照）。尚、芯材５はステンレススティールを含む鉄などのある程度硬質で変形可能な金属を用いるのが良い。
【００１７】
図１（ｂ）は、形状保持具２の要部構成を示す一部破断斜視図であり、図１（ｄ）に示すように、所定厚みｔの濾布と同質のフェルトなどの柔軟材の両縁部３ｃ、３ｃをリングの内側同方向に折り曲げ重ね合わせて裁断時の寸法Ｈ１から所定寸法Ｈと成し、この時対向する両縁部３ｃ、３ｃで出来る溝部４の溝幅４ａは芯材５の太さとほぼ同寸法となり、この芯材５を外側から押圧力Ｐで押し曲げ変形させて外す際に、芯材５は溝部４を擦り抜けるようにして除去することが出来る（図３参照）。
【００１８】
図２は、形状保持具２を筒状濾布体１に縫合した状態を示す断面図である。
【００１９】
筒状濾布体１の胴部内面１ｂに溝部４及び溝部４に嵌着した芯材５が変形離脱容易となるように内側から見えるようにして形状保持具２を胴部軸方向Ｚに直交して縫合した状態を示してある。１ｃは、形状保持具２を筒状濾布体１に縫合して固定した縫い目である。
【００２０】
形状保持具２は、本発明の構成としたことで、筒状濾布体１が濾過操作時に生ずる変形等の機能的障害を防止する機能を有すると共に、金属製リングからなる芯材５を筒状濾布体１の外側から、手で押しつぶすか、或いはハンマー等で叩いて変形させることで、図３に示すように、容易に筒状濾布体（バグ）１から分離して除去することが出来るようにしたことが特徴である。
【００２１】
比較する対象として、図４に形状保持具の別の例を示した。この場合は、筒状濾布体１０の胴部１０ａ外周に芯材５０を被覆布体２０で抑えるように包み込んで縫合した例であり、取付け縫製し易いが、更新時の可燃物と不燃物との分別作業では、被覆布体２０またはバグを切り開いて金属製リングの芯材５０を取り出さなければならず、この作業に手間が掛かり不都合である。尚、図４中、他の符号について、１０ｂは縫い目である。
【００２２】
尚また、筒状濾布体の筒形状を保持するための形状保持具の芯材を金属の代りに耐熱性に支障の無い条件で、竹製のものが考えられるが、強度の点を考慮すると、１０ｍｍφ程度の太さが必要となり、実用上支障がある。
【図面の簡単な説明】
【００２３】
【図１】（ａ）本実施例における形状保持具を装備したバグフィルターの要部構成を示す外観斜視図、（ｂ）形状保持具の一部破断斜視図、（ｃ）環状の芯材の斜視図、（ｄ）Ａ−Ａ断面図
【図２】形状保持具を筒状濾布体に縫合した状態を示す断面図
【図３】芯材を取外す際の変形状況を示す説明図
【図４】比較対象例を示す外観斜視図、（ｂ）Ｂ−Ｂ断面図
【符号の説明】
【００２４】
１  筒状濾布体
１ａ  胴部
２  形状保持具（環形状保持具）
３  環状帯体
４  溝部
５  芯材
１０  筒状濾布体
２０  被覆布体
５０  芯材
【図１】
2007054752.tif 000003
【図２】
2007054752.tif 000004
【図３】
2007054752.tif 000005
【図４】
2007054752.tif 000006